(57)【要約】【課題】安定的に倒立保管可能かつ内容物の絞り出しが容易なパウチを提供する。【解決手段】内容物を収容した周囲をヒートシールしてなる可撓性のパウチ容器２と、パウチ容器２の一側に設けられたスパウトを備える内容物の注出口３と、注出口３に着脱可能なキャップ４とからなり、内容物を、パウチ容器２を押出して注出させるとともに、キャップ４に設けた凹部１０内に注出口３を嵌合させて倒立保管可能とし、キャップ４には、凹部１０の上端側部に、パウチ容器２の肩部８のヒートシール部１５を嵌入可能とするスリットＳを形成した。【選択図】図４
2014189316.tif 000002
【特許請求の範囲】
【請求項１】
内容物を収容した周囲をヒートシールしてなる可撓性のパウチ容器と、
前記パウチ容器の一側に設けられたスパウトを備える内容物の注出口と、
前記注出口に着脱可能なキャップと、
からなり、
前記内容物を、前記パウチ容器を押出して注出させるとともに、
前記キャップに設けた凹部内に前記注出口を嵌合させて倒立保管可能としたパウチにおいて、
前記キャップには、前記凹部の上端側部に、前記パウチ容器の肩部のヒートシール部を嵌入可能とするスリットを形成したことを特徴とするパウチ。
【請求項２】
前記スリットは、前記キャップの他端部の対角位置に一対で形成したことを特徴とする、請求項１に記載のパウチ。
【請求項３】
前記スリットは、湾曲状に形成したことを特徴とする、請求項１〜２のいずれかに記載
のパウチ。
【請求項４】
前記スリットは、上部を幅広に形成するとともに、下端部を前記上部に対して狭く形成したことを特徴とする、請求項１〜３のいずれかに記載のパウチ。
【請求項５】
前記スリットは、前記凹部の少なくとも一側部に並設したことを特徴とする、請求項１〜４のいずれかに記載のパウチ。
【請求項６】
前記スリットは、前記ヒートシール部のシール幅の少なくとも半分を嵌入可能な深さに形成したことを特徴とする、請求項１〜４のいずれかに記載のパウチ。
【請求項７】
前記内容物は、練り歯磨きを含むペースト状の製品であることを特徴とする、請求項１に記載のパウチ。
【発明の詳細な説明】
【技術分野】
【０００１】
本発明は、内容物を収容した周囲をヒートシールしてなる可撓性のパウチ容器と、パウチ容器の一側に設けられたスパウトを備える内容物の注出口と、注出口に着脱可能なキャップとからなり、内容物を、パウチ容器を押出して注出させるとともに、キャップに設けた凹部内に注出口を嵌合させて倒立保管可能としたパウチに関し、より詳細には、キャップには、凹部の上端側部に、パウチ容器の肩部のヒートシール部を嵌入可能とするスリットを形成したパウチに関する。
【背景技術】
【０００２】
パウチには、例えば、内容物を収容した周囲をヒートシールしてなる可撓性を有する容器本体と、容器本体の一側に設けられた内容物の注出口と、注出口に着脱可能なキャップとからなり、注出口にキャップを装着させた状態で、キャップを底にしてパウチを逆さに倒立させることにより、保管時（不使用時）にパウチの置き場所を広くとらなくてよいばかりか、倒立保管の安定性がよく、また、容器先端側（注出口側）に内容物が降下するので、使用時に注出口からすぐに内容物を押出すことができ、利便性が高い。
【０００３】
このようなパウチには、例えば、特許文献１に開示されているような、本体に炭酸製品を内容物として充填し、注ぎ口装備品およびキャップからなる可撓性ポーチがある。また、特許文献２に開示されているような、流動物を充填した容器の注出口を、台蓋部で下向きに支持して容器を立設させた絞出し容器がある。
【先行技術文献】
【特許文献】
【０００４】
【特許文献１】特開２００８−１００７６３号公報
【特許文献２】特開２０１０−９５２５６号公報
【発明の概要】
【発明が解決しようとする課題】
【０００５】
しかしながら、このような特許文献１の可撓性ポーチでは、本体の外縁全周にヒートシールが設けられていないため、内容物の量が減ると本体を立てられず、倒立保管することができない。また、特許文献２の絞出し容器においても、容器外縁部のヒートシール幅が狭いため、容器を立て辛いとともに、台蓋部を、容器を立設させるために複雑に成形加工しなければならず、生産性が悪いという問題があった。
このため、本発明では、安定的に倒立保管可能かつ内容物の絞り出しが容易なパウチを提供するものである。
【課題を解決するための手段】
【０００６】
このため、請求項１に記載の発明は、内容物を収容した周囲をヒートシールしてなる可撓性のパウチ容器と、前記パウチ容器の一側に設けられたスパウトを備える内容物の注出口と、前記注出口に着脱可能なキャップとからなり、前記内容物を、前記パウチ容器を押出して注出させるとともに、前記キャップに設けた凹部内に前記注出口を嵌合させて倒立保管可能としたパウチにおいて、前記キャップには、前記凹部の上端側部に、前記パウチ容器の肩部のヒートシール部を嵌入可能とするスリットを形成したことを特徴とする。
【０００７】
請求項２に記載の発明は、請求項１に記載のパウチにおいて、前記スリットは、前記キャップの他端部の対角位置に一対で形成したことを特徴とする。
【０００８】
請求項３に記載の発明は、請求項１〜２のいずれかに記載のパウチにおいて、前記スリットは、湾曲状に形成したことを特徴とする。
【０００９】
請求項４に記載の発明は、請求項１〜３のいずれかに記載のパウチにおいて、前記スリットは、上部を幅広に形成するとともに、下端部を前記上部に対して狭く形成したことを特徴とする。
【００１０】
請求項５に記載の発明は、請求項１〜４のいずれかに記載のパウチにおいて、前記スリットは、前記凹部の少なくとも一側部に並設したことを特徴とする。
【００１１】
請求項６に記載の発明は、請求項１〜４のいずれかに記載のパウチにおいて、前記スリットは、前記ヒートシール部のシール幅の少なくとも半分を嵌入可能な深さに形成したことを特徴とする。
【００１２】
請求項７に記載の発明は、請求項１に記載のパウチにおいて、前記内容物は、練り歯磨きを含むペースト状の製品であることを特徴とする。
【発明の効果】
【００１３】
請求項１に記載の発明によれば、内容物を収容した周囲をヒートシールしてなる可撓性のパウチ容器と、パウチ容器の一側に設けられたスパウトを備える内容物の注出口と、注出口に着脱可能なキャップとからなり、内容物を、パウチ容器を押出して注出させるとともに、キャップに設けた凹部内に注出口を嵌合させて倒立保管可能としたパウチにおいて、キャップには、凹部の上端側部に、パウチ容器の肩部のヒートシール部を嵌入可能とするスリットを形成したので、注出口にキャップを着装する際、パウチ容器肩部のヒートシール部の一部分をキャップに形成されたスリットに嵌入させることにより、スリットが肩部の一部分を挟持することで、パウチ容器を支持できるとともに、パウチの倒立保管時には、パウチ容器の重心位置がスリットのシール幅の少なくとも半分の深さ分だけ下がるため、パウチを安定的に倒立保管させることができる。
【００１４】
請求項２に記載の発明によれば、スリットは、キャップの他端部の対角位置に一対で形成したので、注出口にキャップを着装する際、パウチ容器肩部のヒートシール部の一部分をスリットに直線状に嵌入できるため、パウチ容器をキャップに容易に着装することができる。
【００１５】
請求項３に記載の発明によれば、スリットは、湾曲状に形成したので、注出口にキャップを着装する際、パウチ容器肩部のヒートシール部の一部分をスリットの湾曲形状に沿って嵌入するためにパウチ容器も湾曲することで、パウチ容器の保型効果が高まり、パウチの倒立安定性を向上させることができる。
【００１６】
請求項４に記載の発明によれば、スリットは、上部を幅広に形成するとともに、下端部を上部に対して狭く形成したので、注出口にキャップを着装するとき、パウチ容器肩部のヒートシール部の一部分をスリット上部からスリット内に挿入する際、このヒートシール部の一部分がスリット内に誘導され易く容易に挿入でき、使用性に優れるとともに、スリットの下端部でパウチ容器を確実に固定でき、パウチ容器の保型効果が高まり、パウチの倒立安定性を向上させることができる。
【００１７】
請求項５に記載の発明によれば、スリットは、凹部の少なくとも一側部に並設したので、注出口にキャップを着装する際、パウチ容器肩部のヒートシール部の一部分を湾曲させたヒートシール部を隣接するスリットに嵌入するためにパウチ容器の側端部を湾曲させ、側端部２箇所をスリットに嵌入固定でき、パウチ容器の保型効果が高まり、パウチの倒立安定性を向上させることができる。
【００１８】
請求項６に記載の発明によれば、スリットは、ヒートシール部のシール幅の少なくとも半分を嵌入可能な深さに形成したので、倒立保管時にはパウチ容器の重心位置がスリットの深さ分だけ下がるため、パウチを安定的に倒立保管させることができる。
【００１９】
請求項７に記載の発明によれば、内容物は、練り歯磨きを含むペースト状の製品であるので、内容物を容易に絞り出すことができる。また、そのようなペースト状の製品をパウチ容器で安定的に倒立保管することができる。
【図面の簡単な説明】
【００２０】
【図１】本発明の一例を示す、倒立保管状態にあるパウチの全体正面図である。
【図２】倒立保管状態にあるパウチの全体平面図である。
【図３】一対のスリットを形成したキャップの平面図（ａ）および右側面図（ｂ）である。
【図４】一対のスリットを形成したキャップの斜視図である。
【図５】パウチ容器をキャップに嵌入させる説明図である。
【図６】湾曲形成したスリットを有するキャップの平面図（ａ）および右側面図（ｂ）である。
【図７】下部を湾曲形成したスリットを有するキャップの平面図（ａ）および右側面図（ｂ）である。
【図８】図６〜７のキャップにパウチ容器を嵌入して倒立保管させたパウチの全体斜視図である。
【図９】スリットを凹部の各側部に並設したキャップの平面図（ａ）および右側面図（ｂ）である。
【図１０】図９のキャップにパウチ容器を嵌入して倒立保管させたパウチの全体斜視図である。
【発明を実施するための形態】
【００２１】
以下、図面を参照しつつ本発明を実施するための最良の形態について説明する。
図１は本発明の一例を示す、倒立保管状態にあるパウチの全体正面図、図２は倒立保管状態にあるパウチの全体平面図である。
【００２２】
本願発明のパウチ１は、例えば、練り歯磨きやわさび、マーガリン、チョコレートソースなどをはじめとする生活用品や食品に限定されないペースト状の内容物を収容するものであり、図１〜２に示すように、内容物を収容した周囲をヒートシールしたヒートシール部ｈを有する可撓性のパウチ容器２と、パウチ容器２の一側に設けられたスパウトを備える内容物の注出口３と、注出口３に着脱可能なキャップ４とからなる。
【００２３】
まず、パウチ容器２は、基材フィルム層にシーラント層を積層して構成することができるが、基材フィルム層とシーラント層との間に、中間層として、水蒸気その他のガスバリヤー層や、遮光層、強度向上層などを積層して構成することもできる。
【００２４】
基材フィルム層には、二軸延伸ポリプロピレンフィルムのほか、二軸延伸ポリエチレンテレフタレートフィルム、二軸延伸ポリエチレンナフタレートフィルムなどの二軸延伸ポリエステルフィルムや、ナイロン６、ナイロン６６、ＭＸＤ６（ポリメタキシリレンアジパミド）などの二軸延伸ポリアミドフィルムなどを好適に使用することができる。これらは単独で使用してもよく、また、複数を組み合わせて積層して使用することもできる。
【００２５】
中間層をガスバリヤー層とする場合、中間層には、エチレン・酢酸ビニル共重合体ケン化物（ＥＶＯＨ）、ポリ塩化ビニリデン（ＰＶＤＣ）、ポリアクリロニトリル（ＰＡＮ）などのフィルムのほか、アルミニウム箔あるいはシリカ、アルミナ、アルミニウムなどの蒸着層やＰＶＤＣの塗膜層を設けた二軸延伸ナイロンフィルム（ＯＮフィルム）、二軸延伸ポリエチレンテレフタレートフィルム（ＰＥＴフィルム）、二軸延伸ポリプロピレンフィルム（ＯＰＰフィルム）などを使用することができる。これらのうち、アルミニウム箔またはアルミニウム蒸着層を設けたフィルムは、不透明であるため遮光層を兼ねることができる。
【００２６】
最内層のシーラント層には、低密度ポリエチレン（ＬＤＰＥ）、直鎖状低密度ポリエチレン（ＬＬＤＰＥ）のほか、エチレン・αオレフィン共重合体、エチレン・酢酸ビニル共重合体、エチレン・アクリル酸共重合体、エチレン・アクリル酸エステル共重合体、ポリプロピレンまたはその共重合体などを使用することができる。
【００２７】
従って、パウチ容器２の積層フィルムの構成としては、例えば、外側から順に、二軸延伸ポリエチレンテレフタレートフィルム／接着剤／アルミニウム箔／接着剤／二軸延伸ナイロンフィルム／接着剤／直鎖状低密度ポリエチレンフィルムなどからなることを例示することができる。
【００２８】
注出口３は、パウチ容器２を形成する熱融着性樹脂層のシーラント層と同種の合成樹脂、例えばポリプロピレンなどを用いた射出成形品であり、後述するキャップ４に嵌合可能な口部５（スパウト）と、パウチ容器２の肩部８にヒートシールされる固着部６とからなり、これら口部５および固着部６の間には、後述するキャップ４の凹部１０形状と同一（この場合、楕円形状）のフランジ７が形成される。なお、注出口３は、エチレン・酢酸ビニル共重合体などの柔軟性を有する素材から構成してもよい。
【００２９】
そして、適宜大きさに切断したパウチ容器２を構成する２枚の積層フィルムの、肩部８中央を除く肩部８および両側部の縁部をヒートシールし、肩部８中央の開口部には、注出口３を挟み込んだ状態で固着部６と肩部８とをヒートシールするとともに、注出口３に図示しない閉塞シール装着あるいは後述するキャップ４を嵌合後の内容物充填後に、肩部８と対向する上端部の縁部をヒートシールする。
【００３０】
次に、本願発明のキャップについて、その詳細を説明する。図３は一対のスリットを形成したキャップの平面図および側面図、図４は一対のスリットを形成したキャップの斜視図、図５は容器本体をキャップに嵌入させる説明図である。
【００３１】
キャップ４は、注出口３と同種の合成樹脂、例えばポリプロピレンなどを用いた射出成形品であり、図３〜４に示すように、注出口３に着装した状態でパウチ容器２側となる例えば平面視楕円状の上端部１１と、パウチ容器２を倒立支持させる例えば平面視楕円状の底部１２とを有し、側壁部９の内側には凹部１０を形成し、この凹部１０内には、上部の対角位置（後述するスリットＳの形成位置を除いて形成位置は限定されない）に、注出口３のフランジ７を係止する一対の突起状の係止部１３と、底面に注出口３を嵌合可能とする筒状の嵌合部１４とが形成される。
【００３２】
なお、図例では、側壁部９が、上端部１１から底部１２に向かって側面視八字状に広がる形状を有するもので、底部１２の幅がパウチ容器２の幅と同等であることがパウチ１の倒立保管の安定上好ましいが、側壁部９の形状は限定されず、例えば上端部１１から底部１２に向かって垂直形状であってもよい。
【００３３】
そして、平面視楕円の上端部１１であって、例えば楕円長辺上における対角位置に、一対のスリットＳが形成される。このスリットＳは、パウチ容器２における肩部８のヒートシール部１５を嵌入可能な平面視直線状の切込みであり、このヒートシール部１５のシール幅の少なくとも半分を嵌入可能な深さに形成される。
【００３４】
ここで、注出口３をキャップ４に装着させて、内容物を有するパウチ容器２を、キャップ４を介して倒立保管させる場合には、図５〜６に示すように、注出口３を把持して、キャップ４の凹部１０内に嵌入させつつ、凹部１０内底面に形成された嵌合部１４に嵌合させる。このとき、凹部１０の楕円形状と、フランジ７の楕円形状が同一のため、パウチ容器２の肩部８がスリットＳ内に誘導されるようにして挿入される。
【００３５】
なお、本願の注出口３は、キャップ４の凹部１０内に嵌入させても固着部６がキャップ４上方に露出しているため、この固着部６を把持してキャップ４に容易に着脱容易とされる。
【００３６】
このため、キャップ４の凹部１０および注出口３のフランジ７の同一楕円形状が、注出口３とキャップ４の嵌合時におけるパウチ容器２の肩部８のヒートシール部１５が、スリットＳ内へ容易に挟入誘導可能とされる位置決め効果を有するものである。
【００３７】
次いで、注出口３の口部５を嵌合部１４に嵌合させると同時に、フランジ７の外端が、キャップ４の凹部１０内に形成された係止部１３を超えることで、フランジ７が凹部１０内に固定され、さらに、パウチ容器２の肩部８のヒートシール部１５が、スリットＳ内の底面に当接する。
【００３８】
このとき、肩部８のヒートシール部１５は、シール幅の少なくとも半分をスリットＳ内に嵌入できるため、スリットＳが肩部８の一部分を挟持することで、パウチ容器２を支持できるとともに、パウチ１の倒立保管時には、パウチ容器２の重心位置がスリットＳのシール幅の少なくとも半分の深さ分だけ下がるため、パウチ１を安定的に倒立保管させることができる。
【００３９】
従って、上記のようなパウチ容器２の腰が弱いパウチであっても、保管時の倒立状態を維持することができ、さらには、このようなパウチ容器２により柔軟性を有する肩部８であるため、肩部８を含む注出口３近傍に残った内容物を最後まで効率的に絞り出すことができ、使用性が良いパウチ１とすることができる。
【００４０】
なお、パウチ容器２の使用時には、キャップ４の側壁部９を両側から摘むことで、凹部１０が開くなど両者の嵌合部分が変形して、パウチ容器２をキャップ４から取外しが容易となる。
【００４１】
なお、上述の例では、キャップ４の凹部１０および注出口３のフランジ７を楕円形状としたが、この形状に限定されず、両者を円形に形成してもよい。この場合、円形により、キャップ４上端部の任意の位置にスリットを形成させることができる。
【００４２】
また、スリットＳは、キャップ４上端部の楕円長辺上に限らず、短辺上他に形成してもよく、また、対角位置での一対形成に限らず、一方に１つ形成させてもよい。なお、その場合（スリットＳを一方に１つ形成）には、注出口３を凹部１０内に嵌入させる際、スリットＳを形成していない方に位置する肩部８を上方へ湾曲させるなど適宜設計できるものとする。
【００４３】
次に、スリットを他の形状にすることもできる。図６は湾曲形成したスリットを有するキャップの平面図（ａ）および右側面図（ｂ）、図７は下部を湾曲形成したスリットを有するキャップの平面図（ａ）および右側面図（ｂ）、図８は図６〜７のキャップに容器本体を嵌入して倒立保管させたパウチの全体斜視図である。
【００４４】
この場合、図６に示すように、例えば、キャップ４の上端部１１であって、楕円長辺上における対角位置に、一対のスリットＳ´が長辺に対して湾曲形状（湾曲方向は限定しない）で形成される。なお、スリットＳ´は、上述同様に肩部８のヒートシール部１５におけるシール幅の少なくとも半分（図５（ｂ）に記載の長さＬ）を嵌入可能な深さに形成される。
【００４５】
そして、パウチ容器２をスリットＳ´を有するキャップ４に嵌入させる際には、注出口３の口部５を嵌合部１４に嵌合させると同時に、フランジ７の外端が、キャップ４の凹部１０内に形成された係止部１３を超えることでフランジ７が凹部１０内に固定され、さらに図７に示すように、パウチ容器２の肩部８のヒートシール部１５を、スリットＳ´の湾曲形状に合わせてスリットＳ´内に挟入させる。
【００４６】
この結果、パウチ容器２の全体を湾曲させてキャップ４に倒立保管できるため、パウチ容器２の湾曲により、パウチ容器２の保型効果が高まり、倒立維持性をさらに向上させることができる。
【００４７】
なお、スリットは、図７に示すような構成にもすることができる。この場合、スリットＳ´´の上部を幅広に形成するとともに、下端部を前記上部に対して狭く形成する。このようなスリットＳ´´の構成にすることで、パウチ容器２をキャップ４に嵌入させる際、最初に肩部８の直線状の端部を、スリットＳ´´上部の幅が広いために挿入の位置決めおよび挿入がし易くなり、肩部８のスリットＳ´´内への嵌入深さが深くなるにしたがいスリットＳ´´の湾曲形状に沿って肩部８も湾曲に嵌入され、さらにスリットＳ´´の下端部において、狭く形成された溝部に肩部８が嵌入されることで、パウチ容器２をキャップ４のスリットＳ´´に嵌入し易いとともに確実に支持固定することができる。
【００４８】
また、次のようなスリットに形成することもできる。図９はスリットを凹部の各側部に並設したキャップの平面図（ａ）および右側面図（ｂ）、図１０は図９のキャップに容器本体を嵌入して倒立保管させたパウチの全体斜視図である。
【００４９】
この場合、図９に示すように、例えば、キャップ４の上端部１１であって、楕円長辺上における対角位置に直線状のスリットＳａ（上述のスリットＳと同じ）が形成されるとともに、それら各スリットＳａに隣接したスリットＳａと平行位置に、直線状のスリットＳｂが形成され、これらスリットＳａ，ＳｂによりスリットＳ´´´が構成される。
【００５０】
そして、パウチ容器２をスリットＳ´´´を有するキャップ４に嵌入させる際には、注出口３の口部５を嵌合部１４に嵌合させると同時に、フランジ７を係止部１３で固定し、さらに図９に示すように、パウチ容器２の肩部８のヒートシール部１５を、スリットＳａ（Ｓｂでもよい）内に挟入させるとともに、パウチ容器２の側部を湾曲（またはクランク状に折り込む）させて側端部に位置する肩部８のヒートシール部１５を、スリットＳｂ（Ｓａでもよい）内に挟入させる。
【００５１】
この結果、パウチ容器２の側部が湾曲（またはクランク状）に曲げられることにより、パウチ容器２の保型効果が高まり、倒立維持性をさらに向上させることができる。
【００５２】
なお、上述の例では、キャップ４の上端部１１の両側部にそれぞれ複数のスリットＳ´´´を形成させたが、本願発明はそれに限定されず、上端部１１の一側部に複数のスリットＳ´´´を形成させてもよい。
【００５３】
以上詳述したように、本願発明のパウチ１は、内容物を収容した周囲をヒートシールしてなる可撓性のパウチ容器２と、パウチ容器２の一側に設けられた内容物の注出口３と、注出口３に着脱可能なキャップ４とからなり、内容物を、パウチ容器２を押出して注出させるとともに、キャップ４に設けた凹部１０内に注出口３を嵌合させて倒立保管可能とし、キャップ４には、凹部１０の上端側部に、パウチ容器２の肩部８のヒートシール部１５を嵌入可能とするスリットＳを形成したものである。
【産業上の利用可能性】
【００５４】
本発明によれば、内容物を収容した周囲をヒートシールしてなる可撓性のパウチ容器と、パウチ容器の一側に設けられたスパウトを備える内容物の注出口と、注出口に着脱可能なキャップとからなり、内容物を、パウチ容器を押出して注出させるとともに、キャップに設けた凹部内に注出口を嵌合させて倒立保管可能とした、あらゆるパウチに適用することができる。
【符号の説明】
【００５５】
１    パウチ
２    パウチ容器
３    注出口
４    キャップ
５    口部（スパウト）
６    固着部
７    フランジ
８    肩部
９    側壁部
１０    凹部
１１    上端部
１２    底部
１３    係止部
１５，ｈ    ヒートシール部
Ｓ，Ｓａ，Ｓｂ，Ｓ´，Ｓ´´  ，Ｓ´´´  スリット
【図１】
2014189316.tif 000003
【図２】
2014189316.tif 000004
【図３】
2014189316.tif 000005
【図４】
2014189316.tif 000006
【図５】
2014189316.tif 000007
【図６】
2014189316.tif 000008
【図７】
2014189316.tif 000009
【図８】
2014189316.tif 000010
【図９】
2014189316.tif 000011
【図１０】
2014189316.tif 000012